(57)【要約】【課題】  画像信号の記録領域に、新たな画像信号が誤って上書きされてしまうことを可及的に防止する。【解決手段】  磁気テープ７０９に記録されている画像の記録方式がＤＶ方式からＨＤＶ方式に変更されると、レックレビュー機能による画像信号の再生時間を、Ｎ秒から（Ｎ＋Ｍ）秒に延長する。これにより、レックレビュー機能による画像信号の再生中に記録方式が変更された場合であっても、ブルーバック４０８を表示した後に、変更後の記録方式にて記録された画像信号４０９を表示できる。従って、レックレビュー機能を実行した際に表示されるブルーバック４０８が、システムの切り替えによるものなのか、それとも画像信号が未記録であることによるものなのかをユーザが判断できる。よって、画像信号の記録領域に、新たな画像信号が誤って上書きされてしまうことを防止できる。【選択図】  図４
2007036358.tif 000002
【特許請求の範囲】
【請求項１】
互いに異なる複数の記録方式にて記録された画像信号を記録媒体から再生する再生手段と、
前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行手段と、
前記記録レビューの指示に伴い前記再生手段により再生されている画像信号の記録方式が変更したことを検出する検出手段とを有し、
前記記録レビュー実行手段は、前記検出手段により、前記画像信号の記録方式が変更したことが検出されると、前記所定量に基づく時間よりも長い時間、前記画像信号の再生動作を実行することを特徴とする再生装置。
【請求項２】
前記記録レビュー実行手段はＮ秒分の前記画像信号に相当する前記所定量だけ前記記録媒体を巻き戻すと共に、前記検出手段により、前記画像信号の記録方式が変更したことが検出されると、Ｎ＋Ｍ秒間、前記画像信号の再生動作を実行することを特徴とする請求項１に記載の再生装置。
【請求項３】
前記記録レビュー実行手段は、前記検出手段により、前記画像信号の記録方式が変更したことが検出されると、記録方式の変更後の画像信号を再生するまで、前記画像信号の再生動作を継続させることを特徴とする請求項１に記載の再生装置。
【請求項４】
前記記録レビュー実行手段は、前記検出手段により、前記画像信号の記録方式が変更されたことが検出されてから、記録方式の変更後の画像信号が再生できるようになるまで、前記画像信号の記録方式を変更中であることを表示装置に表示させることを特徴とする請求項１〜３の何れか１項に記載の再生装置。
【請求項５】
互いに異なる複数の記録方式にて記録された画像信号を記録媒体から再生する再生手段を用いて画像信号を再生する再生方法であって、
前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行ステップと、
前記記録レビューの指示に伴い前記再生手段により再生されている画像信号の記録方式が変更したことを検出する検出ステップとを有し、
前記記録レビュー実行ステップは、前記検出ステップにより、前記画像信号の記録方式が変更したことが検出されると、前記所定量に基づく時間よりも長い時間、前記画像信号の再生動作を実行することを特徴とする再生方法。
【請求項６】
互いに異なる複数の記録方式にて記録された画像信号を記録媒体から再生する再生手段を用いて画像信号を再生することをコンピュータに実行させるためのコンピュータプログラムであって、
前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行ステップと、
前記記録レビューの指示に伴い前記再生手段により再生されている画像信号の記録方式が変更したことを検出する検出ステップとをコンピュータに実行させ、
前記記録レビュー実行ステップは、前記検出ステップにより、前記画像信号の記録方式が変更したことが検出されると、前記所定量に基づく時間よりも長い時間、前記画像信号の再生動作を実行することを特徴とするコンピュータプログラム。
【発明の詳細な説明】
【技術分野】
【０００１】
本発明は、再生装置、再生方法、及びコンピュータプログラムに関し、特に、記録方式が異なる画像信号を再生するために用いて好適なものである。
【背景技術】
【０００２】
従来から、画像信号をデジタル信号として磁気テープに記録再生するデジタルＶＴＲが知られている。また、近年では、従来の標準解像度（ＳＤ）画像ではなく、高精細（ＨＤ）画像を撮影し、撮影した高精細画像を、ＭＰＥＧ方式で符号化して磁気テープに記録し、記録した画像を再生するデジタルＶＴＲも提案されている。（例えば、特許文献１を参照）。
【０００３】
ＳＤ画像信号を記録する民生用のデジタルＶＴＲの規格として、ＤＶフォーマット（ＤＶ方式）が提案されている。更に、ＨＤ画像信号を記録する民生用のデジタルＶＴＲの規格としてＨＤＶフォーマット（ＨＤＶ方式（ハイビジョン方式））が提案されている。
このＨＤＶ方式では、ＤＶ方式と同様の磁気テープに対してＭＰＥＧ符号化した画像信号を記録したり再生したりする。
また、ビデオカメラの機能として、記録を一時的に停止する状態にした後、現在のテープの位置より所定量だけテープを巻き戻し、巻き戻した位置から元の位置まで再生を行う記録レビュー（レックレビュー）機能が知られている。
【０００４】
【特許文献１】特開２００１−２７５０７７号公報
【発明の開示】
【発明が解決しようとする課題】
【０００５】
前述したように、ＨＤＶ方式ではＤＶ方式と同様の磁気テープを使用する。よって、ＤＶ方式とＨＤＶ方式との両方の方式でＳＤ画像とＨＤ画像とを１本の磁気テープに記録するビデオカメラが登場している。
この様なビデオカメラで撮影され、磁気テープに記録された画像を再生する場合、ＤＶ方式で記録されている領域と、ＨＤＶ方式で記録されている領域との境界部分においては、画像信号の記録方式を切り替える必要がある。このため、再生画像が出力されなくなることが考えられる。
【０００６】
すなわち、例えば、ＤＶ方式で記録されている領域とＨＤＶ方式で記録されている領域との境界部分が、前述した記録レビュー機能により再生する部分に該当する場合、その境界部分では、信号方式を切り替える必要があるため、画像が再生されなくなる。したがって、ユーザは、実際には磁気テープに画像信号が記録されているにもかかわらず、記録されていないものと判断してしまう虞がある。
そのため、従来のビデオカメラ等の再生装置では、画像信号が記録されている領域に対して、画像信号の記録指示がユーザによって行われる虞があった。したがって、画像信号が記録されている領域に、新たな画像信号を上書きして記録してしまう虞があるという問題点があった。
【０００７】
本発明は、このような問題点に鑑みてなされたものであり、画像信号の記録領域に、新たな画像信号が誤って上書きされてしまうことを可及的に防止することを目的とする。
【課題を解決するための手段】
【０００８】
本発明の再生装置は、互いに異なる複数の記録方式にて記録された画像信号を記録媒体から再生する再生手段と、前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行手段と、前記記録レビューの指示に伴い前記再生手段により再生されている画像信号の記録方式が変更したことを検出する検出手段とを有し、前記記録レビュー実行手段は、前記検出手段により、前記画像信号の記録方式が変更したことが検出されると、前記所定量に基づく時間よりも長い時間、前記画像信号の再生動作を実行することを特徴とする。
【０００９】
本発明の再生方法は、互いに異なる複数の記録方式にて記録された画像信号を記録媒体から再生する再生手段を用いて画像信号を再生する再生方法であって、前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行ステップと、前記記録レビューの指示に伴い前記再生手段により再生されている画像信号の記録方式が変更したことを検出する検出ステップとを有し、前記記録レビュー実行ステップは、前記検出ステップにより、前記画像信号の記録方式が変更したことが検出されると、前記所定量に基づく時間よりも長い時間、前記画像信号の再生動作を実行することを特徴とする。
【００１０】
本発明のコンピュータプログラムは、互いに異なる複数の記録方式にて記録された画像信号を記録媒体から再生する再生手段を用いて画像信号を再生することをコンピュータに実行させるためのコンピュータプログラムであって、前記記録媒体に記録されている画像信号に対する記録レビューの指示がなされたことに応じて、前記記録レビュー指示がなされた位置から、前記記録媒体を所定量だけ巻き戻し、前記巻き戻した位置から、前記記録媒体に記録されている画像信号を前記所定量に基づく期間再生するよう前記再生手段を制御する記録レビュー実行ステップと、前記記録レビューの指示に伴い前記再生手段により再生されている画像信号の記録方式が変更したことを検出する検出ステップとをコンピュータに実行させ、前記記録レビュー実行ステップは、前記検出ステップにより、前記画像信号の記録方式が変更したことが検出されると、前記所定量に基づく時間よりも長い時間、前記画像信号の再生動作を実行することを特徴とする。
【発明の効果】
【００１１】
本発明によれば、記録媒体に記録されている画像信号に対する記録レビューの指示がなされた位置から、前記記録媒体を所定量だけ巻き戻し、巻き戻した位置から、前記記録媒体に記録されている画像信号を再生するに際し、前記画像信号の記録方式が変更されたことが検出されると、前記所定量に基づく時間よりも長い時間、前記画像信号の再生動作を実行するようにしたので、変更後の記録方式の画像信号が表示されることなく、前記記録レビューの実行が終了してしまうことを可及的に防止することができる。これにより、前記記録レビューの実行中に記録方式の変更があったことをユーザに認識させることが可能になり、画像信号の記録領域に、新たな画像信号が誤って上書きされてしまうことを可及的に防止することができる。
【発明を実施するための最良の形態】
【００１２】
（第１の実施形態）
次に、図面を参照しながら、本発明の第１の実施形態について説明する。
図１は、本実施形態における再生装置の一例であるビデオカメラ（ＤＶＣ；Digital Video Camera）の構成の一例を示す図である。
図１に示すビデオカメラは、ＤＶ方式の画像信号と、ＨＤＶ方式の画像信号とを記録し、再生することが可能である。ユーザは、操作部７１２を操作することによって、これら２つの記録方式を任意に切り替えることができる。
【００１３】
図１において、撮像部７０１は、被写体を撮影してＳＤ画像信号もしくはＨＤ画像信号を出力する。入出力信号処理部７０２は、記録時においては、撮像部７０１からの画像信号に対し公知のカメラ信号処理を施し、カメラ信号処理を施した画像信号をメモリＩ／Ｆ７０７に出力する。さらに、入出力信号処理部７０２は、再生時においては、メモリＩ／Ｆ７０７を介して読み出した画像信号を、出力に適した形態に変換する。
【００１４】
ＭＰＥＧ処理部７０３は、ＨＤ画像信号をＭＰＥＧ方式に従って、符号化、及び復号化する。ＤＶ処理部７０４は、ＳＤ画像信号をＤＶ方式にて規定されたフレーム内符号化方式に従って、符号化、及び復号化する。多重・分離部７０５は、記録時においては、メモリＩ／Ｆ７０７を介して出力された画像データに対して、同期信号やその他のデータを含む付加情報を付加する。さらに、多重・分離部７０５は、再生時においては、再生するデータから画像データや付加情報などを検出してメモリＩ／Ｆ７０５或いは制御部１１１に出力する。
【００１５】
メモリ７０６はＳＤＲＡＭなどの大容量の記録媒体である。メモリＩ／Ｆ７０７は、各部とメモリ７０６との間で、データの書き込みや、読み出しを行う。
記録再生部７０８は、磁気テープ７０９に対してＤＶ方式、またはＨＤＶ方式のデータを記録する。さらに、記録再生部７０８は、磁気テープ７０９に記録されている、ＤＶ方式、またはＨＤＶ方式のデータを再生する。
【００１６】
制御部７１１は、ビデオカメラの処理を制御するためのものであり、例えば、ＣＰＵ、ＲＯＭ、及びＲＡＭを備えている。ＲＯＭには、本実施形態における処理を実行するためのプログラムが格納されている。ＣＰＵは、ＲＯＭに格納されているプログラムを実行する。ＲＡＭは、ＣＰＵがＲＯＭに格納されているプログラムを実行する際のワークエリアとなったり、データを一時的に格納したりする。
【００１７】
操作部７１２は、記録再生トリガスイッチや、記録レビュー（レックレビュー）の指示スイッチなど、各種のスイッチを有する。メカニズム７１３は、キャプスタンモータやキャプスタンを有し、磁気テープ７０９を搬送する。表示制御部７１４は、メモリＩ／Ｆ７０７からの画像信号や制御部７１１からの指示に従って、表示部７１５の表示画面に表示するデータを生成し、表示部７１５に出力する。表示部７１５は、例えば液晶デバイスである。出力部７１６は、再生された画像データを外部に出力する。
なお、撮像部７０１、入出力信号処理部７０２、ＭＰＥＧ処理部７０３、ＤＶ処理部７０４、多重・分離部７０５、記録再生部７０８、制御部７１１、メカニズム７１３、及び表示制御部７１４は、制御バス７１０を介して相互に通信可能に接続されている。
【００１８】
図１に示すビデオカメラは、メモリ７０６を各部で共通に使用し、メモリ７０６に対するデータの書き込み及び読み出しを、メモリＩ／Ｆ７０７により調停している。
図１において、ユーザは、操作部７１２を操作して、ＤＶ方式及びＨＤＶ方式の何れかの記録方式を選択して撮影を行うことができる。制御部７１１は、ユーザにより選択された記録方式に従ってメモリＩ／Ｆ７０７を制御して、メモリ７０６のアドレスマッピングを、ユーザにより選択された記録方式に適した形式に変更する。
【００１９】
また、ＤＶ方式がユーザにより選択された場合、制御部７１１は、撮像部７０１に対して、ＳＤ画像を出力するように制御すると共に、ＤＶ処理部７０４に対して、撮影された画像を符号化するように制御する。一方、ＨＤＶ方式がユーザにより選択された場合、制御部７１１は、撮像部７０１に対して、ＨＤ画像を出力するように制御すると共に、ＭＰＥＧ処理部７０４に対して、撮影された画像を符号化するように制御する。
この様に、磁気テープ７０９には、ＤＶ方式とＨＤＶ方式の画像信号を混在して記録することが可能な記録媒体である。
【００２０】
ＤＶ方式またはＨＤＶ方式の画像データが磁気テープ７０９より読み出されて再生される場合、多重・分離部７０５は、再生されたデータ中の識別情報に基づいて、そのデータがＤＶ方式またはＨＤＶ方式の何れの記録方式であるかを判別する。そして、多重・分離部７０５は、判別した記録方式を制御部７１１に知らせる。
【００２１】
制御部７１１は、多重・分離部７０５から知らされた記録方式に従ってメモリ７０６のアドレスマッピングを変更する。そうすると、ＭＰＥＧ処理部７０３またはＤＶ処理部７０４の何れかにより、再生された画像信号が復号される。また、制御部７１１は、表示制御部７１４を制御することによって、復号された画像信号をメモリＩ／Ｆ７０７を介して読み出させ、表示部７１５に表示させる。
【００２２】
画像信号の再生中に画像信号の記録方式が変更された場合、制御部７１１は、メカニズム７１３を制御してそのまま磁気テープ７０９の搬送を継続させながら、多重・分離部７０５を制御してメモリＩ／Ｆ７０７に対するデータの書き込みを停止させる。そして、制御部７１１は、メモリＩ／Ｆ７０７を介してメモリ７０６のアドレスマッピングを変更し、その変更が完了した後、多重・分離部７０５を制御して、メモリＩ／Ｆ７０７に対するデータの書き込みを再開させる。
【００２３】
次に、記録レビュー（レックレビュー）機能について説明する。
ユーザが操作部７１２を操作することによって、記録を一時的に停止する状態となった後、操作部７１２の記録レビュースイッチをユーザが操作すると、制御部１１１は、メカニズム７１３を制御して、以下の通り記録レビュー（レックレビュー）処理を行う。
【００２４】
図２は、磁気テープ７０９に記録されている情報と、記録レビュー（レックレビュー）機能を実行することにより表示される画像の一例を概念的に示す図である。図２では、ＤＶ方式及びＨＤＶ方式の何れか一方の記録方式のみでデータが記録されている場合について示している。
図２において、前述したようにしてビデオカメラにて撮影された画像信号が記録された磁気テープ７０９を用いて、再度、ビデオカメラにて撮影しようとした場合、ユーザは、既に記録されている磁気テープ７０９の記録内容を知る必要がある。このため、ユーザは、記録レビュー（レックレビュー）機能を用いて、記録内容を確認する。
【００２５】
この記録レビュー（レックレビュー）機能を実行した場合、制御部７１１は、メカニズム７１３を制御して、図２に示すテープ停止位置（図中、▼印）１０２から磁気テープ７０９を巻き戻す。その後、制御部７１１は、記録再生部７０８を制御して、所定の時間（Ｎ秒）、磁気テープ７０９に記録されている画像信号を再生する。そして、制御部７１１は、表示制御部７１４を制御して、再生した画像信号に基づく再生画像１０３を表示部７１５に表示させる。その後、テープ停止位置１０２まで画像信号の再生が終わると、スタンバイ状態となる。
【００２６】
ユーザは、表示部７１５に表示された再生画像１０３を見て、磁気テープ７０９の記録内容を確認する。ユーザは、このようにして磁気テープ７０９の記録内容を確認した後、磁気テープ７０９を用いて、撮影を開始する。
例えば、磁気テープ７０９のテープ停止位置１０２に記録されているシーン（Scene）から繋ぎ記録を行う際、ユーザは、前述した記録レビュー（レックレビュー）機能を用いて、磁気テープ７０９の記録内容を確認する。こうすることによって、ユーザは、磁気テープ７０９の現在の位置が記録してもよい位置にあるのか否かを判断することができ、磁気テープ７０９のテープ停止位置１０２に記録されているシーンから、繋ぎ記録をビデオカメラに行わせることが可能となる。更に、前述した記録レビュー（レックレビュー）機能を用いることによって、ユーザは、ビデオカメラに現在セットされている磁気テープ７０９が記録してよいものか否かを判断することも可能となる。
【００２７】
次に、ＤＶ方式にて記録された画像と、ＨＤＶ方式にて記録された画像とが磁気テープ７０９に混在している場合を説明する。
図３は、磁気テープ７０９に記録されている情報と、レックレビュー機能を実行することにより表示される画像の一例を概念的に示す図である。図３では、ＤＶ方式及びＨＤＶ方式の双方の記録方式でデータが記録されている場合について示している。
【００２８】
図３に示すように、ＤＶ方式のフォーマット領域２０２（図中、ＳＤ）と、ＨＤＶ方式のフォーマット領域２０３（図中、ＨＤ）とが磁気テープ７０９に混在している。
テープ停止位置２０５（図中、▼印）が、ＤＶ方式のフォーマット領域２０２である場合に、記録レビュー（レックレビュー）機能の実行指示があると、制御部７１１は、メカニズム７１３を制御して、テープ停止位置２０５から磁気テープ７０９を巻き戻す。その後、制御部７１１は、記録再生部７０８を制御して、所定の時間（Ｎ秒）、ＤＶ方式にて記録された画像信号を再生する。そして、制御部７１１は、表示制御部７１４を制御して、再生した画像信号に基づく再生画像２０７を表示部７１５に表示させる。
【００２９】
また、テープ停止位置１０６（図中、▽印）が、ＨＤＶ方式のフォーマット領域２０３である場合に、記録レビュー（レックレビュー）機能の実行指示があると、制御部７１１は、メカニズム７１３を制御して、テープ停止位置２０６から磁気テープ７０９を巻き戻す。その後、制御部７１１は、記録再生部７０８を制御して、所定の時間（Ｎ秒）、ＨＤＶ方式にて記録された画像信号を再生する。そして、制御部７１１は、表示制御部７１４を制御して、再生した画像信号に基づく再生画像２０８を表示部７１５に表示させる。
【００３０】
ここで、テープ停止位置が、ＤＶ方式のフォーマット領域２０２と、ＨＤＶ方式のフォーマット領域２０３との境界付近２０４である場合に、レックレビュー機能の実行指示があったとする。この場合、制御部７１１は、記録再生部７０８を制御して、１回の記録レビュー（レックレビュー）機能の実行中に、異なるフォーマットにて記録された複数の異なる記録方式の画像信号を、磁気テープ７０９から再生して表示させることになる。
【００３１】
図４は、磁気テープ７０９に記録されている情報と、レックレビュー機能を実行することにより表示される画像の一例を概念的に示す図である。図４でも、図３と同様に、ＤＶ方式のフォーマット領域３０２（図中、ＳＤ）と、ＨＤＶ方式のフォーマット領域３０３（図中、ＨＤ）とが磁気テープ７０９に混在している場合を示している。そして、図４では、テープ停止位置３０６が、ＤＶ方式での記録領域と、ＨＤＶ方式での記録領域との境界３０５の近くにある場合に、レックレビュー機能の実行指示があった場合の問題点について示している。
【００３２】
異なる記録方式の画像信号を、記録レビュー（レックレビュー）機能を実行して再生する場合、再生中の画像と異なる記録方式の画像を再生するために、ビデオカメラのシステムを各々の記録方式のフォーマットに対応させる必要がある。ビデオカメラのシステムを各々の記録方式のフォーマットに対応させるためには、記録方式が変わるタイミングでシステムを切り替える必要がある。このシステムの切り替えには時間を要する。
【００３３】
そこで、異なる記録方式にて記録された画像信号を、レックレビュー機能を実行して再生する際、システムの切り替え中に、例えば、図４に示すように表示部７１５にブルーバック（Blue Back）３１０を表示することが考えられる。
ここで、例えば、テープ停止位置３０６（図中、▼印）でレックレビュー機能を実行したとする。この場合、まず、テープ停止位置３０６から磁気テープ７０６を巻き戻し、ＤＶ方式にて記録された画像信号に基づく再生画像３０８を表示部７１５に表示させる。そして、磁気テープ７０６に記録されている画像の記録方式がＤＶ方式からＨＤＶ方式に切り替わる場合、前述したように、システムが切り替わる。
【００３４】
このシステムの切り替えに要する時間が、レックレビュー機能を実行して画像信号を再生する所定の時間（Ｎ秒）以下の場合には、ＨＤＶ方式にて記録された画像信号に基づく画像信号３０９を表示部７１５に表示させることができる。
しかしながら、このシステムの切り替えに要する時間が、記録レビュー（レックレビュー）機能を実行して画像信号を再生する所定の時間（Ｎ秒）を超える場合、システムの切り替えに中は、表示部７１５にブルーバック３１０を表示することになる。そうすると、ＨＤＶ方式にて記録された画像信号に基づく画像信号３０９を表示部７１５に表示する前にレックレビュー機能による画像信号の再生動作が終了してしまう。
【００３５】
また、テープ停止位置（図中、▽印）３０７が、画像信号の未記録領域３０４にある場合に、レックレビュー機能を実行して画像信号を再生したときも、テープ停止位置３０６でレックレビュー機能を実行したときと同様に、表示部７１５にブルーバック３１１を表示する。
このような状況下においては、異なる記録方式のフォーマットに対して記録レビュー（レックレビュー）機能を実行することにより表示されたブルーバック３１０なのか、画像信号の未記録部分に対してレックレビュー機能を実行することにより表示されたブルーバック３１１なのかを、ユーザが判別することが極めて困難である。
【００３６】
その結果、ユーザは、異なる記録方式のフォーマットに対して記録レビュー（レックレビュー）機能を実行することにより表示されたブルーバック３１０を、「画像信号の未記録部分」と判断してしまう虞がある。よって、ユーザは、ＨＤＶ方式にて既に記録済みの画像のフォーマット領域（図中、ＨＤ）３０３に新たに画像信号を記録させてしまう可能性もある。
【００３７】
そこで、本実施形態では、複数の記録方式の画像が磁気テープ７０９に混在していた場合、次のようにする。すなわち、ユーザが、ビデオカメラに対して記録レビュー（レックレビュー）機能を実行させた後、制御部７１１は、図５に示すように記録方式（フォーマット）の違いに応じて、記録レビュー（レックレビュー）機能による画像信号の再生時間を変えるようにする。このようにすることにより、既に記録済みのフォーマット領域に、新たに画像信号を記録させてしまうことを回避することが可能になる。
【００３８】
図５は、磁気テープ７０９に記録されている情報と、記録レビュー（レックレビュー）機能を実行することにより表示される画像の一例を概念的に示す図である。図５でも、図４と同様に、ＤＶ方式のフォーマット領域４０２（図中、ＳＤ）と、ＨＤＶ方式のフォーマット領域４０３（図中、ＨＤ）と、画像信号の未記録領域４０４とが磁気テープ７０９に混在している場合を示している。そして、図５では、図４を用いて説明した問題点を解決する方法の一例を示している。
【００３９】
図５に示すように、例えば、ＤＶ方式のフォーマット領域４０２に対しては、記録レビュー（レックレビュー）機能を実行して画像信号を再生する所定の時間をＮ秒としておく。一方、ＨＤＶ方式のフォーマット領域４０３に対しては、記録レビュー（レックレビュー）機能を実行して画像信号を再生する所定の時間を（Ｎ＋Ｍ）秒としておく。ここで、テープ停止位置４０６（図中、▼印）で記録レビュー（レックレビュー）機能を実行したとする。この場合、まず、テープ停止位置４０６から磁気テープ７０６を巻き戻し、ＤＶ方式にて記録された画像信号に基づく再生画像４０７を表示部７１５に表示させる。
【００４０】
ここで、ＤＶ方式にて記録された画像信号に基づく再生画像４０７が表示部７１５に表示され続けると、磁気テープ７０６の位置は、異なる記録方式のフォーマット領域４０２、４０３の境界４０５に移行する。そして、ビデオカメラのシステムがＨＤＶ方式にて記録された画像のフォーマットを検出すると、制御部７１１は、記録レビュー（レックレビュー）機能を実行して画像信号を再生する所定の時間をＮ秒から（Ｎ＋Ｍ）秒に変更する。すなわち、記録レビュー（レックレビュー）機能を実行して画像信号を再生する時間を延長する。このとき、（Ｎ＋Ｍ）秒が、ＳＤ方式からＨＤＶ方式へのシステムの切り替えに要する時間よりも長くなるよう、Ｍの値を設定する。
【００４１】
その結果、ブルーバック４０８を表示させた後、ＨＤＶ方式にて記録された画像信号に基づく再生画像４０９を表示させることを、ＨＤＶ方式のフォーマットに対応させるためにシステムを切り替えた後に行える。
【００４２】
以上のように、本実施形態では、磁気テープ７０９に記録されている画像の記録方式（フォーマット）に応じて、記録レビュー（レックレビュー）機能による画像信号の再生時間を延長するようにした。よって、記録レビュー（レックレビュー）機能による画像信号の再生中に記録方式が変更された場合であっても、ブルーバック４０８を表示した後に、変更後の記録方式にて記録された画像信号４０９を表示することが可能になる。これにより、磁気テープ７０９に記録されている内容を、記録レビュー（レックレビュー）機能を用いてユーザが確認する際に、異なる記録方式にて記録された画像信号４０７、４０９の記録領域の境界部分があっても可及的に違和感なく画像信号を再生することが可能となり、磁気テープ７０９に記録されている内容を可及的に確実に表示部７１５に表示することが可能となる。
【００４３】
また、記録レビュー（レックレビュー）機能による画像信号の再生時間を延長して、変更後の記録方式にて記録された画像信号４０９を表示できるようにすることで、記録レビュー機能を実行して画像信号を再生した際に表示されるブルーバックが、システムの切り替えによるものなのか、それとも画像信号が未記録であることによるものなのかをユーザが判断できるようになる。よって、記録方式が変更されたことによって表示されたブルーバック４０８を、磁気テープ７０９における画像信号の未記録領域４０４において表示されるブルーバックであるとユーザが認識してしまうことを可及的に回避できる。
【００４４】
以上により、ユーザが、意図しない記録領域に対して、画像信号の記録指示を行うことを可及的に防止することができ、画像信号の記録領域に、新たな画像信号が誤って上書きされてしまうことを可及的に防止することができる。
なお、本実施形態では、画像信号を記録する記録媒体として磁気テープ７０９を例に挙げて説明したが、画像信号を記録する記録媒体は、必ずしも磁気テープ７０９である必要なない。例えば、磁気を用いて記録を行う記録媒体であれば、フレキシブルディスク等、どのような記録媒体であってもよい。
【００４５】
（第２の実施形態）
次に、本発明の第２の実施形態について説明する。本実施形態と、前述した第１の実施形態とは、レックレビュー機能を実行した際の画像信号の再生のさせ方の一部が異なるだけである。したがって、以下の説明において、第１の実施形態と同一の部分については、図１〜図５に付した符号と同一の符号を付すなどして詳細な説明を省略する。
【００４６】
図６は、磁気テープ７０９に記録されている情報と、記録レビュー（レックレビュー）機能を実行することにより表示される画像の一例を概念的に示す図である。
【００４７】
図６に示すように、テープ停止位置４０６（図中、▼印）が、ＤＶ方式のフォーマット領域４０２と、ＨＤＶ方式のフォーマット領域４０３との境界４０５の近くであるとする。この状態で記録レビュー（レックレビュー）機能を実行したとすると、１回の記録レビュー（レックレビュー）機能の実行で、異なる記録方式にて記録された画像信号を再生することになる。
【００４８】
ＤＶ方式にて記録された画像信号に基づく再生画像４０７がＮ秒間、表示部７１５に表示されると、磁気テープ７０６の位置は、異なる記録方式のフォーマット領域４０２、４０３の境界４０５を経由し、ＨＤＶ方式のフォーマット領域４０３に移行する。そして、ビデオカメラのシステムがＨＤＶ方式にて記録された画像のフォーマットを検出した後、制御部７１１は、記録再生部７０８を制御してレックレビュー機能による画像信号の再生動作を継続させる。
【００４９】
ここで、記録レビュー（レックレビュー）機能による画像信号の再生動作は、一方のフォーマットから他方のフォーマットに対応するようにビデオカメラのシステムを変換した後、前記他方のフォーマットにて記録された画像を再生できる状態になるまで継続させる。すなわち、レックレビュー機能による画像信号の再生動作は、前記他方のフォーマットにて記録された画像を再生できた時点で終了し、スタンバイ状態になる。
【００５０】
以上のように、記録レビュー（レックレビュー）機能による画像信号の再生動作は、ビデオカメラのシステムが、ＤＶ方式にて記録された画像を再生している状態から、ＨＤＶ方式にて記録された画像を再生できる状態になるまで継続させる。
更に、ＨＤＶ方式にて記録された画像をレックレビュー機能により再生できる状態に遷移している間、すなわち、ビデオカメラのシステムを、ＨＤＶ方式に対応させるためにシステムを切り替えている間、制御部７１１は、以下の処理を行う。まず、表示部７１５にブルーバック４０８を表示しておき、記録レビュー（レックレビュー）機能を継続して実行しておく。その後、ビデオカメラのシステムが、ＨＤＶ方式にて記録された画像に対応できるように変換された後、継続して実行している記録レビュー（レックレビュー）機能による画像信号の再生を有効にする。これにより、ＨＤＶ方式にて記録された画像信号に基づく再生画像５０９を記録レビュー（レックレビュー）機能により表示部７１５に表示できる。
以上のようにすれば、前述した第１の実施形態で説明した効果に加え、ＨＤＶ方式にて記録された画像を再生できるようになるまでの時間に応じて、レックレビュー機能による画像信号の再生時間を変えることができるという効果が得られる。
【００５１】
（第３の実施形態）
次に、本発明の第２の実施形態について説明する。本実施形態と、前述した第１及び第２の実施形態とは、レックレビュー機能を実行した際のシステム移行期間（mode change period）における表示方法が異なるだけである。したがって、以下の説明において、第１及び第２の実施形態と同一の部分については、図１〜図６に付した符号と同一の符号を付すなどして詳細な説明を省略する。
【００５２】
図７は、磁気テープ７０９に記録されている情報と、記録レビュー（レックレビュー）機能を実行することにより表示される画像の一例を概念的に示す図である。
図７に示すように、ＤＶ方式にて記録された画像信号に基づく再生画像４０７を表示可能な状態から、ＨＤＶ方式にて記録された画像信号に基づく再生画像５０９を表示可能な状態にシステムを変換している期間（表示部７１５にブルーバックを表示している期間）は、モード遷移中であることをユーザに認識させるために、例えば、「ＳＤ⇒ＨＤ」文字を付したブルーバック６０８を表示部７１５に表示させる。
【００５３】
このようにすれば、ユーザは、表示されているブルーバックが、システムの切り替えによるものなのか、それとも画像信号が未記録であることによるものなのかを一目で判断することが可能になる。
なお、ブルーバック６０８に付す内容は、図７に示したものに限定されず、モード遷移中であることをユーザに認識させる文字、図形、若しくは記号、又はこれらの組み合わせであってもよい。また、背景色を異ならせるようにしてもよい。
【００５４】
（本発明の他の実施形態）
また、前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５５】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５６】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００５７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
なお、前述した実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５８】
【図１】本発明の第１の実施形態を示し、ビデオカメラの構成の一例を示す図である。
【図２】本発明の第１の実施形態を示し、磁気テープに記録されている情報と、レックレビュー機能を実行することにより表示される画像の一例を概念的に示す図であり、ＤＶ方式及びＨＤＶ方式の何れか一方の記録方式のみでデータが記録されている場合について示す図である。
【図３】本発明の第１の実施形態を示し、磁気テープに記録されている情報と、レックレビュー機能を実行することにより表示される画像の一例を概念的に示す図であり、ＤＶ方式及びＨＤＶ方式の双方の記録方式でデータが記録されている場合について示す図である。
【図４】本発明の第１の実施形態を示し、磁気テープに記録されている情報と、レックレビュー機能を実行することにより表示される画像の一例を概念的に示す図であり、テープ停止位置が、ＤＶ方式での記録領域と、ＨＤＶ方式での記録領域との境界の近くにある場合に、レックレビュー機能の実行指示があった場合の問題点について示す図である。
【図５】本発明の第１の実施形態を示し、磁気テープに記録されている情報と、レックレビュー機能を実行することにより表示される画像の一例を概念的に示す図であり、図４に示した問題点を解決する方法の一例を示す図である。
【図６】本発明の第２の実施形態を示し、磁気テープに記録されている情報と、レックレビュー機能を実行することにより表示される画像の一例を概念的に示す図である。
【図７】本発明の第３の実施形態を示し、磁気テープに記録されている情報と、レックレビュー機能を実行することにより表示される画像の一例を概念的に示す図である。
【符号の説明】
【００５９】
４０２  ＤＶ方式のフォーマット領域
４０３  ＨＤＶ方式のフォーマット領域
４０４  画像信号の未記録領域
４０７  ＤＶ方式による再生画像
４０８、６０８  ブルーバック
４０９、５０９  ＨＤＶ方式による再生画像
７０３  ＭＰＥＧ処理部
７０４  ＤＶ処理部
７０５  多重・分離部
７０６  メモリ
７０７  メモリＩ／Ｆ
７０８  記録再生部
７０９  磁気テープ
７１１  制御部
７１２  操作部
７１３  メカニズム
７１４  表示制御部
７１５  表示部
【図１】
2007036358.tif 000003
【図２】
2007036358.tif 000004
【図３】
2007036358.tif 000005
【図４】
2007036358.tif 000006
【図５】
2007036358.tif 000007
【図６】
2007036358.tif 000008
【図７】
2007036358.tif 000009